(57)【特許請求の範囲】
【請求項１】
互に噛合する供給リールギア、巻取りリールギアと、同軸上に軸着され転写ヘッドを介して転写テープの供給、巻回を行う供給リールと巻取りリールとを塗布具容器内に収容する塗布具において、転写ヘッドを経て供給され、かつ、巻取られる転写テープを覆うヘッドカバー外周にあって、転写ヘッドが露出する上記塗布具容器開口部に転写ヘッドを露出隠蔽できるように摺動自在に設けられ、後端の係止片の摺動係止突起により塗布具容器内壁の摺動溝内を案内されるとともに、後端縁に位置して突出する補助突片により上記塗布具容器内壁に圧接係止されてなるスライドカバー。
【請求項２】
補助突片を係止片外周上に設けてなる請求項１記載の塗布具のスライドカバー。
【請求項３】
補助突片には塗布具容器内壁に向け凸部を具える請求項１又は２記載の塗布具のスライドカバー。
【発明の詳細な説明】
【０００１】
【発明の属する技術分野】
この発明は、表面に塗料或は接着剤等（以下「塗料等」という。）が付着する転写テープを紙面等の筆記具転写物に密着させながら、スライドさせて塗料等を転写、塗布して誤記の修正、又は接着部の形成を行う塗布具において、特に転写ヘッドを不使用時被覆するスライドカバーに関する。
【０００２】
【従来の技術】
従来、この種の塗布具において塗布具容器より露出する転写ヘッドを不使用時に隠蔽するため、転写ヘッドカバーというものがあり、これは、転写テープを保護しながら、他方では転写ヘッド部分を不使用時被覆しようとするものである（例えば実開平６−９９９５号）。
【０００３】
【発明が解決しようとする課題】
しかしながら、上記従来のものは、転写ヘッドカバーが一方では転写テープを保護しながら、他方では転写ヘッドの不使用時これを隠蔽するものであったため、転写ヘッドカバーを転写ヘッドに沿い摺動することによって、ともすれば転写テープ表面を傷付け、塗膜面が剥離するおそれがあり、また、転写テープが切断して巻回不能となるものである。また、上記問題点を解決するために、転写ヘッドカバーと別個にその外面を被覆するスライドカバーを塗布具容器に沿い、摺動自在に被覆するものが提案されたが（例えば特開平８−２６７９９２号）、このスライドカバーは長時間の使用により、あるいは熱、湿度、材料により塗布具容器に対する保持力が弱まり、ヘッドカバーが使用時にも不用意に摺動するという問題がある。
【０００４】
そこで、この発明は上記問題点を改善するものであり、供給される転写テープを傷つけることなく、不使用時容器開口部より露出する転写ヘッドを被覆するとともに、転写ヘッドを被覆するためのスライドカバーの摺動を確実に実行させようとするものである。
【０００５】
【課題を解決するための手段】
そのために、この発明は、供給リールと巻取りリールからなり、転写ヘッドにより転写テープを被転写物に転写、塗布する塗布具において、転写テープを案内、保護するヘッドカバーの外面に別個に摺動自在にスライドカバーを設け、塗布具容器内壁に沿い案内されるスライドカバーの摺動により転写ヘッドを露出、あるいは隠蔽するとともに、その後端縁に突出する補助突片を塗布具容器内壁に圧接係止することにより、係止片とともにその摺動を確実にし、更には、補助突片を上記塗布具容器内壁を案内する係止片に形成し又は、補助突片に塗布具容器内壁に向け凸部を設けてなるものである。
【０００６】
【発明の実施の形態】
この発明は上記のように構成されるから、実施に当り、供給リール、巻取りリールを噛合する供給リールギア、巻取りリールギアを介して塗布具容器内に収容し塗布具容器の開口部より転写ヘッドを露出する。この転写ヘッドを塗布具容器の開口部に摺動自在に嵌合するスライドカバーを前方に摺動させ、不使用時の転写ヘッドを隠蔽して他物より保護し、使用時、スライドカバーを後方に摺動して転写ヘッドを塗布具容器の開口部より露出させる。摺動時、塗布具容器内壁に設ける摺動溝内を摺動係止突起が案内されて移動するが、後端縁に突出する補助突片も同時に摺動し、塗布具容器内壁（以下単に「内壁」という。）に圧接するから、スライドカバーは内壁との間に充分な摩擦力をもって密着する。また補助突片に内壁に向け凸部を形成すると、摺動溝の端縁に当接するとクリック音を発してその作動の終了を確実に告知することができる。
【０００７】
【実施例】
この発明の実施例を図により更に説明する。（１）は塗布具を示し、この塗布具（１）は、供給リール（１１）、巻取りリール（１５）を基板（１０）上に有し、この基板（１０）に連結する転写ヘッド支持部材（１９）を介して転写ヘッド（２０）とこれを転写テープ（２２）とともに被覆するヘッドカバー（２１）を具えるカートリッジ体（３）とこれを収容する塗布具容器（２）よりなる。塗布具容器（２）は、そのカートリッジ体（３）の転写ヘッド（２０）が露出する開口部（８）に摺動自在に嵌合するスライドカバー（４）を具え、スライドカバー（４）の後端（内方）には係止片（２４）を形成し、この係止片（２４）の後端には更に内壁（９）に向い突出する摺動係止突起（６）をもち、この摺動係止突起（６）は内壁（９）に設ける摺動溝（７）内を案内され、摺動溝（７）の後端より前端までを摺動し、転写ヘッド（２０）を開口部（８）より出没させる。
【０００８】
係止片（２４）の前端縁、すなわち、スライドカバー（４）の後端縁に位置して補助突片（２５）を突出形成する。これはスライドカバー（４）が樹脂、金属など若干弾性を有する材料より構成されるから、内壁（９）に対して圧接保持されることとなり、この内壁（９）に向かう外面に凸部（２６）を形成する。凸部（２６）は内壁（９）に当接して更に変形して、クリック音を発生し、作動が完了したことを告知することができる（図３，図４）。
【０００９】
また、図５に示すように係止片（２４）の前端に直接に補助突片（２５’）を形成することができ、この場合は摺動溝（７）の前後端縁に凸部（２６）が当接して一層高いクリック音を発生してその完了を告知することができる。
【００１０】
供給リール（１１）は供給リール軸（１２）に軸着され、供給リール固定ピン（１４）により基板（１０）に固定されるものであり、同様、巻取りリール（１５）は巻取りリール軸（１６）に軸着の上、巻取りリール固定ピン（１８）によって基板（１０）に固定され、基板（１０）はカートリッジ体（３）と一体となり、塗布具容器（２）の後方より上記塗布具容器（２）内に挿入される。この実施例はカートリッジ体（３）を交換して転写テープを容易に補充できるものであるが、この発明は上記カートリッジ型式にとらわれず塗布具容器（２）を適宜分割の上、この容器（３）内に上記リールを直接収容する従来のものてあってもよい。ここで、供給リールギア（１３）は巻取りリールギア（１７）と噛合して一方の回動を他方に伝えるようになっている。
【００１１】
なお、係止段部（５）はスライドカバー（４）の首部（２３）の後縁にあって開口部（８）に当接し、転写ヘッド（２０）を露出状態におくための段部である。
【００１２】
【発明の効果】
以上のとおりこの発明は構成されるから、転写テープを保護する別個のカートリッジにより転写テープを傷つけることなく、不使用時、転写ヘッドを保護することができ、更にはその摺動保持を熱、湿度、あるいは材料の性質により左右されず確実にできる優れた効果ょもつものである。
【図面の簡単な説明】
【図１】この発明の実施例の縦断側面図である。
【図２】この発明の実施例の塗布具容器の縦断正面図である。
【図３】この発明の実施例の部分拡大正面図である。
【図４】この発明の実施例の他側の部分拡大側面図である。
【図５】この発明の他の実施例の部分拡大正面図である。
【符号の説明】
１  塗布具
２  塗布具容器
３  カートリッジ体
４  スライドカバー
５  係止段部
６  摺動係止突起
７  摺動溝
８  開口部
９  内壁
１０  基板
１１  供給リール
１２  供給リール軸
１３  供給リールギア
１４  供給リール固定ピン
１５  巻取りリール
１６  巻取りリール軸
１７  巻取りリールギア
１８  巻取りリール固定ピン
１９  転写ヘッド支持部材
２０  転写ヘッド
２１  ヘッドカバー
２２  転写テープ
２３  首部
２４  係止片
２５，２５’  補助突片
２６  凸部
【図１】
0003876396.tif 000002
【図２】
0003876396.tif 000003
【図３】
0003876396.tif 000004
【図４】
0003876396.tif 000005
【図５】
0003876396.tif 000006